(57)【要約】【課題】収容したメディアへのゴミや埃の付着を抑制しつつ良好に収容することが可能なメディアスタッカ及びそれを備えたメディア処理装置を提供する。【解決手段】メディアスタッカ２１は、円形の底面１０１ａを有する底板１０１と、この底板１０１に立設された円筒部１０２とを有し、円筒部１０２内が複数の円板状のメディアＭを積層させて収容可能なメディア収容部１０３として形成され、底面１０１ａには、円筒部１０２との隅部に、下方に凹む円弧状溝部１０１ｅが形成されている。また、底面１０１ａの中央部に形成した環状の台部１０１ｄによって、メディア収容部１０３内に収容される最下部のメディアＭの中央部を支持する。【選択図】図７
2008310936.tif 000002
【特許請求の範囲】
【請求項１】
略円形の底面を有する底板と、前記底板に立設された円筒部とを有し、前記円筒部内が複数の円板状のメディアを積層させて収容可能なメディア収容部であるメディアスタッカであって、
前記底面には、前記円筒部との境界をなす隅部に、下方に凹む溝部が形成されているメディアスタッカ。
【請求項２】
請求項１に記載のメディアスタッカにおいて、
前記溝部は、断面視円弧状に形成されているメディアスタッカ。
【請求項３】
請求項１または２に記載のメディアスタッカにおいて、
前記底面の中央に、上方へ突出する環状の台部が形成されているメディアスタッカ。
【請求項４】
請求項１から３の何れか一項に記載のメディアスタッカにおいて、
前記円筒部は、互いに対向する位置に切欠部を形成することにより、平面視円弧状の一対の枠体とされ、前記切欠部における前記底面の周縁は、前記メディア収容部に収容される前記メディアに対して平面視で内方に配置されているメディアスタッカ。
【請求項５】
請求項４に記載のメディアスタッカにおいて、
前記底板には、前記切欠部における前記底面の周縁の外周側に、上下に貫通する穴部が形成されているメディアスタッカ。
【請求項６】
円板状のメディアに対して情報処理を行うメディア処理部と、
前記メディア処理部に前記メディアを搬送するメディア搬送機構と、を備えたメディア処理装置において、
請求項１から５の何れか一項に記載のメディアスタッカが着脱可能であるメディア処理装置。
【発明の詳細な説明】
【技術分野】
【０００１】
本発明は、ＣＤやＤＶＤ等の円板状のメディアを収容するメディアスタッカ及びそれを備えたメディア処理装置に関する。
【背景技術】
【０００２】
近年、多数枚のブランクＣＤ（Compact Disc）やＤＶＤ（Digital Versatile Disc）等のメディア（情報記録媒体）にデータの書き込みを行うディスクダビング装置、データの書き込みとレーベル印刷を行ってメディアを制作して発行可能なＣＤ／ＤＶＤパブリッシャ等のメディア処理装置が用いられつつある。この種のメディア処理装置では、ＣＤやＤＶＤ等の円板状のメディアは、メディアスタッカに積層させて収容した状態で取り扱われる。（例えば、特許文献１参照）。
【０００３】
【特許文献１】特開２００６−２０２３７９号公報
【発明の開示】
【発明が解決しようとする課題】
【０００４】
ところで、メディアを収容するメディアスタッカは、例えば底板から円弧状の側壁となる枠板を立設して円筒部を形成することにより、メディアを積層させて収容可能な円筒状のメディア収容部を有する構造を有する。
このような形状のメディアスタッカでは、そのメディア収容部内における底板の底面上にゴミや埃が溜まっていると、そのゴミや埃がメディア収容部内に収容したメディアのデータ記録面やレーベル印刷面に付着してしまい、データの書き込み品質や印刷品質の低下を招いてしまう。
このため、定期的にメディアスタッカの内面を布等で拭いてゴミや埃を除去することが好ましいが、底面と円筒部との隅部に布が届かず、この隅部に溜まったゴミや埃を完全に取り除くことが困難であった。
【０００５】
その場合、底面と円筒部との境界となる隅部を、底面から曲面状に立ち上がる断面円弧状とすれば、布を届かせることが容易となり、隅部のゴミや埃を除去することが可能であるが、この場合、最下部に収容したメディアの外縁が円弧状に立ち上がった部分に干渉し、メディアの浮き上がりや撓み等の不具合が生じることが考えられる。
【０００６】
そこで本発明の目的は、収容したメディアへのゴミや埃の付着を抑制しつつ良好に収容することが可能なメディアスタッカ及びそれを備えたメディア処理装置を提供することにある。
【課題を解決するための手段】
【０００７】
上記課題を解決することのできる本発明に係るメディアスタッカは、略円形の底面を有する底板と、前記底板に立設された円筒部とを有し、前記円筒部内が複数の円板状のメディアを積層させて収容可能なメディア収容部であるメディアスタッカであって、前記底面には、前記円筒部との境界をなす隅部に、下方に凹む溝部が形成されている。
【０００８】
この構成のメディアスタッカによれば、底板における底面の円筒部との隅部に、下方に凹む溝部が形成されているので、底面を布等で拭いてゴミや埃を除去する際に、除去が困難な底面の円筒部との隅部でゴミや埃が例え残留したとしても、これらゴミや埃を溝部内に保持させておくことができる。
これにより、メディア収容部へメディアを収容させたとしても、最下部のメディアへのゴミや埃が直接接触して付着するのを防止することができ、メディアの品質を良好に維持することができる。
【０００９】
本発明に係るメディアスタッカにおいて、前記溝部は、断面視円弧状に形成されていることが好ましい。
この構成のメディアスタッカによれば、溝部が断面視円弧状に形成されているので、例えば、落下させたりして底板の角部に衝撃が作用しても、底板の底面と円筒部との隅部における衝撃力を円弧状の溝部で分散することができ、破損、損傷等の不具合を極力抑えることができる。
【００１０】
本発明に係るメディアスタッカにおいて、前記底面の中央に、上方へ突出する環状の台部が形成されていることが好ましい。
この構成のメディアスタッカによれば、環状の台部によって、メディア収容部内に収容される最下部のメディアの中央部を支持することができる。これにより、最下部のメディアを、中央部以外の記録面が底面から浮いた状態で支持することができ、メディアの記録面へのゴミや埃の付着をさらに抑制することができる。
【００１１】
本発明に係るメディアスタッカにおいて、前記円筒部は、互いに対向する位置に切欠部を形成することにより、平面視円弧状の一対の枠体とされ、前記切欠部における前記底面の周縁は、前記メディア収容部に収容される前記メディアに対して平面視で内方に配置されていることが好ましい。
この構成のメディアスタッカによれば、切欠部における底面の周縁が、メディア収容部に収容されるメディアに対して平面視で内方に配置されているので、メディア収容部に収容したメディアを取り出す際に、切欠部で最下部のメディアの外周縁へ容易にかつ確実に指を係止させて取り出すことができる。
【００１２】
本発明に係るメディアスタッカにおいて、前記底板には、前記切欠部における前記底面の周縁の外周側に、上下に貫通する穴部が形成されていることが好ましい。
この構成のメディアスタッカによれば、メディア収容部に収容したメディアを取り出すべく、最下部のメディアの外周縁へ指を係止させる際に、底板へ指を接触させることなく最下部のメディアの外周縁を係止することができ、指が底板に接触してメディアスタッカを傾けてしまうことがなく、安定した状態で円滑にメディアをメディア収容部から取り出すことができる。
【００１３】
また、本発明に係るメディア処理装置は、円板状のメディアに対して情報処理を行うメディア処理部と、前記メディア処理部に前記メディアを搬送するメディア搬送機構と、を備えたメディア処理装置において、上記本発明に係るメディアスタッカが着脱可能である。
この構成のメディア処理装置によれば、収容したメディアに対するゴミや埃などの付着が極力抑えられるメディアスタッカを使用するため、メディアへ情報処理を高品質に行うことができる。
【発明を実施するための最良の形態】
【００１４】
以下、本発明に係るメディアスタッカ及びそれを備えたメディア処理装置の実施形態について図面を参照して説明する。
なお、本実施形態では、メディア処理装置としてのディスクパブリッシャを例示して説明する。
図１は各部を閉状態としたパブリッシャ（メディア処理装置）の外観斜視図、図２は各部を開状態としたパブリッシャの外観斜視図、図３はパブリッシャのケースを外した状態の前方上側から見た斜視図、図４はパブリッシャに設置されたレーベルプリンタ部分の斜視図である。
【００１５】
図１に示すように、パブリッシャ１は、例えばＣＤやＤＶＤ等の円板状のメディア（情報記憶媒体）へのデータの書き込みやメディアのレーベル面への印刷を行うメディア処理装置であり、ほぼ直方体形状のケース２を備えている。このケース２の前面には、左右に開閉可能な開閉扉３，４が取り付けられている。ケース２の上側左端部には、表示ランプ、操作ボタン等が配列された操作面５が設けられており、また、ケース２の下端には、下方に突出するように載置用の脚部６が左右両側に設けられている。左右の脚部６の間位置には引出機構７が設けられている。
【００１６】
正面視右側の開閉扉３は、図２に示すように、パブリッシャ１の前面側の開口部８を開閉するもので、例えば未使用（ブランク）のメディアＭを開口部８を介してセットする時、あるいは作成済みのメディアＭを、開口部８を介して取り出すときに、開閉する扉である。
また、正面視左側の開閉扉４は、図３に示すレーベルプリンタ１１のインクカートリッジ１２の入れ換え時に開閉するためのものであり、この開閉扉４を開けると、鉛直方向に配列された複数のカートリッジホルダ１３を有するカートリッジ装着部１４が露出するようになっている。
【００１７】
パブリッシャ１のケース２の内部には、データ書き込み処理が行われていない複数枚（例えば５０枚）の未使用のメディアＭをスタック可能なメディア保管部としてのメディアスタッカ２１と、複数枚（例えば５０枚）の未使用のメディアＭあるいは作成済みメディアＭが保管されるメディア保管部としてのメディアスタッカ２２とが保管されるメディアＭの中心軸線が同一となるように上下に配置されている。メディアスタッカ２１及びメディアスタッカ２２は、それぞれ所定位置に対して着脱自在である。
【００１８】
上側のメディアスタッカ２１は、左右一対の円弧状の枠板２４，２５を備えており、これにより、メディアＭを上側から受け入れ、同軸に積層した状態で収容可能な構成をなしている。メディアスタッカ２１にメディアＭを収容あるいは補充する作業は、開閉扉３を開けてメディアスタッカ２１を取り出すことにより、簡単に行うことが可能となっている。
【００１９】
下側のメディアスタッカ２２も同一構造となっており、左右一対の円弧状の枠板２７，２８を備え、これによって、メディアＭを上側から受け入れ、同軸に積層した状態で収容可能なスタッカが構成されている。
【００２０】
これらのメディアスタッカ２１及びメディアスタッカ２２の後側には、メディア搬送機構３１が配置されている。メディア搬送機構３１は、本体フレーム３０とシャーシ３２の天板３３との間に垂直に架け渡されている垂直ガイド軸３５を有している。この垂直ガイド軸３５に搬送アーム３６が昇降及び旋回可能な状態で支持されている。搬送アーム３６は、駆動モータ３７によって垂直ガイド軸３５に沿って昇降可能であるとともに、垂直ガイド軸３５を中心に左右に旋回可能である。
【００２１】
上下のスタッカ２１，２２及びメディア搬送機構３１の側方の後方の部位には、上下に積層された２つのメディアドライブ４１が配置され、これらメディアドライブ４１の下側にレーベルプリンタ１１の後述するキャリッジ６２が移動可能に配置されている。
メディアドライブ４１は、メディアＭへのデータ書き込み位置とメディアＭの受け取り受け渡しを行うメディア受け渡し位置との間を移動可能なメディアトレイ４１ａをそれぞれ有している。
【００２２】
また、レーベルプリンタ１１は、メディアＭのレーベル面へのレーベル印刷可能な印刷位置とメディアＭの受け取り受け渡しを行うメディア受け渡し位置との間を移動可能なメディアトレイ４５を有している。
【００２３】
図３では、上下のメディアドライブ４１のメディアトレイ４１ａが手前に引き出されてメディア受け渡し位置にある状態及び下側のレーベルプリンタ１１のメディアトレイ４５が手前側のメディア受け渡し位置にある状態が示されている。また、レーベルプリンタ１１はインクジェットプリンタであり、インク供給機構６０として各色（本実施形態ではブラック、シアン、マゼンタ、イエロー、ライトシアン、ライトマゼンタの６色）のインクカートリッジ１２が用いられ、これらのインクカートリッジ１２がカートリッジ装着部１４の各カートリッジホルダ１３に前方から装着されている。
【００２４】
ここで、メディアスタッカ２１の左右一対の枠板２４，２５の間及びメディアスタッカ２２の左右一対の枠板２７，２８の間には、メディア搬送機構３１の搬送アーム３６が昇降可能な隙間が形成されている。また、これら上下のメディアスタッカ２１とメディアスタッカ２２との間には、メディア搬送機構３１の搬送アーム３６が水平に旋回して、メディアスタッカ２２の真上に位置できるように隙間が開いている。さらに、両メディアトレイ４１ａをメディアドライブ４１に押し込むと、メディア搬送機構３１の搬送アーム３６を下降させて、メディア受け渡し位置にあるメディアトレイ４５にアクセス可能となっている。
【００２５】
メディア搬送機構３１の搬送アーム３６は、両メディアトレイ４１ａをデータ書き込み位置に位置させ、メディアトレイ４５を奥側の印刷位置に位置させた状態で、メディアトレイ４５の高さ位置よりもさらに下側まで下降可能となっている。そして、メディアトレイ４５のメディア受け渡し位置の下方には、搬送アーム３６がこの位置まで下降してリリースしたメディアＭが通過するガイド穴６５（図２参照）であって、後述するメディアスタッカ（別体スタッカ）が装着されるガイド穴６５が形成されている。
【００２６】
引出機構７は、本体フレーム３０の下側に、本体フレーム３０から引き出して開いたり、収納して閉じたりすることが可能な引出トレイ７０を有している。引出トレイ７０には、スタッカ部７１が下方に凹んで設けられている。引出トレイ７０が収納位置（閉位置）にあるとき、スタッカ部７１は、ガイド穴６５の下方に位置し、スタッカ部７１の中心部は、受け渡し位置にある両メディアトレイ４１ａとメディアトレイ４５の中心軸線が同一となるように位置されている。このスタッカ部７１は、ガイド穴６５を介して投入されるメディアＭを受け入れ、このメディアＭを比較的少量（例えば５枚〜１０枚程度）だけ収容する。スタッカ部７１は、メディアＭを上側から受け入れ、同軸に積層した状態で収容可能となっている。
【００２７】
収納状態にある引出トレイ７０のスタッカ部７１及びガイド穴６５には、スタッカ部７１よりもメディアＭの収容量が多いメディアスタッカ（別体スタッカ）７２が着脱可能となっている（図３参照）。このメディアスタッカ７２も、一対の円弧状の枠板７３，７４を備えており、これによって、メディアＭを上側から受け入れ、同軸に積層した状態で複数枚（例えば５０枚）収容可能となっている。一対の円弧状の枠板７３，７４の間には、メディア搬送機構３１の搬送アーム３６が昇降可能な隙間が形成されている。また、一方の枠板７４の上部には着脱時にユーザによって把持される取っ手７５が設けられている。
【００２８】
そして、メディアスタッカ７２を取り付けた状態とすれば、上側のメディアスタッカ２１から未使用のメディアＭを取り出し、メディアドライブ４１及びレーベルプリンタ１１でデータ記録及び印刷を行った後に、メディアスタッカ７２に収容することができる。
また、例えば、上側のメディアスタッカ２１および下側のメディアスタッカ２２にそれぞれの最大収容枚数（５０枚＋５０枚）の未使用のメディアＭを装填し、下側のメディアスタッカ２２の全枚数（５０枚）のメディアＭを順次処理してメディアスタッカ７２に収容し、次に、上側のメディアスタッカ２１の全枚数（５０枚）のメディアＭを順次処理して、空となった下側のメディアスタッカ２２に収容する。このようにして、上側のメディアスタッカ２１および下側のメディアスタッカ２２の最大収容枚数（５０枚＋５０枚）のメディアＭを一度に処理する（バッチ処理モード）。
【００２９】
また、メディアスタッカ７２を取り外した状態とすれば、上側のメディアスタッカ２１あるいは下側のメディアスタッカ２２から未使用のメディアＭを取り出し、メディアドライブ４１及びレーベルプリンタ１１でデータ記録及び印刷を行った後に、収納状態にある引出トレイ７０のスタッカ部７１に収容することができる。
【００３０】
これにより、その後、引出トレイ７０を引き出すことでスタッカ部７１から処理が完了したメディアＭを取り出すことができる。つまり、メディアＭへの処理中であっても、開閉扉３を閉じたまま、処理が完了したメディアＭから順に一枚ずつあるいは複数枚ずつ取り出すことができる（外部排出モード）。
【００３１】
ここで、メディア搬送機構３１の搬送アーム３６の昇降及び左右への旋回の組み合わせ動作によって、メディアＭは、メディアスタッカ２１、メディアスタッカ２２、引出トレイ７０のスタッカ部７１（またはメディアスタッカ７２）、各メディアドライブ４１のメディアトレイ４１ａ及びレーベルプリンタ１１のメディアトレイ４５間で適宜搬送される。
【００３２】
図４に示すように、レーベルプリンタ１１はインク吐出用のノズル（図示省略）を備えたインクジェットヘッド６１を有するキャリッジ６２を備えており、このキャリッジ６２は、キャリッジモータの駆動力でキャリッジガイド軸に沿って水平方向に往復移動する（図示省略）。
【００３３】
レーベルプリンタ１１は、インクカートリッジ１２が装着されるカートリッジ装着部１４を有するインク供給機構６０を備えている。このインク供給機構６０は、縦型構造を有しており、パブリッシャ１の本体フレーム３０上に立設されて鉛直方向に配設されている。このインク供給機構６０には、可撓性を有するインク供給チューブ６３の一端が接続されており、このインク供給チューブ６３の他端は、キャリッジ６２に接続されている。
【００３４】
そして、インク供給機構６０に装着されるインクカートリッジ１２のインクは、インク供給チューブ６３を介してキャリッジ６２に供給され、このキャリッジ６２に設けられたダンパユニット及び背圧調整ユニット（図示省略）を経てインクジェットヘッド６１に供給されインクノズル（図示省略）から吐出される。
なお、インク供給機構６０には、その上部に主部を配置するように加圧機構６４が設けられており、この加圧機構６４は、圧縮空気を送り出してインクカートリッジ１２内を加圧し、インクカートリッジ１２内のインクパックに貯留しているインクを送り出す。
【００３５】
また、キャリッジ６２のホームポジション（図４に示す位置）における下方側には、ヘッドメンテナンス機構８１が設けられている。
このヘッドメンテナンス機構８１は、ホームポジションに配置されたキャリッジ６２の下面に露出するインクジェットヘッド６１のインクノズルを覆うヘッドキャップ８２と、インクジェットヘッド６１のヘッドクリーニング動作やインク充填動作によってヘッドキャップ８２に排出されたインクを吸引する廃インク吸引ポンプ８３とを備えている。
【００３６】
そして、このヘッドメンテナンス機構８１の廃インク吸引ポンプ８３によって吸引されたインクは、チューブ８４を介して、廃インク吸収タンク８５へ送り込まれる。
この廃インク吸収タンク８５は、ケース８６内に図示しない吸収材を配設したもので、その上面は、複数の通気孔８７を有するカバー８８によって覆われている。
なお、ヘッドメンテナンス機構８１の下方には、廃インク吸収タンク８５の一部である廃インク受け部８９が設けられ、ヘッドメンテナンス機構８１から滴下したインクを受け止め、吸収材によって吸収するようになっている。
【００３７】
なお、パブリッシャ１を制御する制御部（図示省略）は、開閉扉３，４の開閉状態を扉開閉センサ（図示省略）からの検出信号に基づいて判断することになり、メディア搬送機構３１及びレーベルプリンタ１１の動作中に、開閉扉３，４のいずれかが開状態となると、動作を中断する。つまり、開状態にあるときメディアＭに対する印刷及び搬送の両処理を制限する。そして、開閉扉３，４の両方が閉状態になると、動作を再開する。
【００３８】
次に、上記のパブリッシャ１内に着脱されるメディアスタッカ２１，２２について説明する。
図５はメディアスタッカの斜視図、図６はメディアスタッカの平面図、図７はメディアスタッカの図６におけるＡ−Ａ断面図、図８はメディアスタッカの隅部における断面図、図９はメディアスタッカの図６におけるＢ−Ｂ断面図である。
【００３９】
なお、メディアスタッカ２１，２２は、何れも同一形状であるので、メディアスタッカ２１を例示して説明する。
メディアスタッカ２１は、射出成形によって一体成形した合成樹脂製であり、パブリッシャ１の所定の収納部に着脱される。
このメディアスタッカ２１は、図５及び図６に示すように、底板１０１と、この底板１０１に立設された円筒部１０２とを有しており、円筒部１０２内が、ＣＤやＤＶＤ等の円板状のメディアＭを積層状態に収容可能なメディア収容部１０３として形成されている。
【００４０】
円筒部１０２は、互いに対向する平面視円弧状の前述した一対の枠板２４，２５から構成されており、枠板２４，２５同士の隙間部分が、互いに対向する位置に形成された切欠部１０６，１０７である。
これらの切欠部１０６，１０７は、メディアスタッカ２１の収納部への挿入方向に対して、所定角度だけ斜めの対角線上の位置に形成されている。
【００４１】
そして、このメディアスタッカ２１をパブリッシャ１の収納部へ装着した状態において、これら切欠部１０６，１０７のうちの収納部への装着方向前方側（以下、前方側と称する）の切欠部１０６で、メディア搬送機構３１の搬送アーム３６が昇降可能である。
【００４２】
このメディアスタッカ２１は、メディア収容部１０３を形成する円筒部１０２が、射出成形時における金型からの抜き方向の関係から、上方へ向かって僅かに拡径する形状である。したがって、メディア収容部１０３は、上方へ向かって次第に広くなるため、メディアＭを収容した際に、上方側でのメディアＭの外周縁と円筒部１０２とのクリアランスが大きくなる。
【００４３】
このため、この円筒部１０２の内周には、周方向へ間隔をあけて複数のリブ１２１が下端から上端にわたって形成されている。リブ１２１は、その内側の端面が、底板１０１に対して垂直であり、各リブ１２１の端面を結ぶ内接円が、メディアＭの外周よりも僅かに大きな円となるように形成され、その内側にメディアＭが精度良く揃って積層されて収容される。
【００４４】
また、底板１０１のパブリッシャ１への装着方向後方側（以下、手前側と称する）は、張り出し部１１０によって平面視矩形状とされている。そして、この張り出し部１１０によって切欠部１０７の下端が連結されて補強されている。
【００４５】
この張り出し部１１０には、後方側へ略水平に突出する下部係止片１１１が形成されている。また、円筒部１０２を構成する枠板２４には、その上端に、下部係止片１１１と上下に対向する上部係止片１１２が略水平に突設されている。
そして、メディアスタッカ１００では、ユーザは、親指を上部係止片１１２に係止させ、その他の指を下部係止片１１１に係止させた状態で、容易に把持して持ち運びが可能とされている。
【００４６】
底板１０１は、メディア収容部１０３に収容されるメディアＭが載置される円形の底面１０１ａを有しており、枠板２４，２５の切欠部１０６，１０７で、その底面１０１ａの周縁１０１ｂ，１０１ｃが、メディア収容部１０３に収容するメディアＭよりも小さな半径の円弧状に形成されている。これにより、切欠部１０６，１０７における底面１０１ａの周縁１０１ｂ，１０１ｃが、メディア収容部１０３に収容されるメディアＭに対して平面視で内方に配置されるようになっている。
【００４７】
底板１０１には、図７に示すように、底面１０１ａの中央に上方へ若干突出する環状の台部１０１ｄが形成されており、メディア収容部１０３内に収容される最下部のメディアＭの記録領域から外れた中央部が台部１０１ｄで支持される。
また、図８にも示すように、底面１０１ａには、枠板２４，２５との隅部に沿って円弧状溝部１０１ｅが形成されている。この円弧状溝部１０１ｅは、底面１０１ａの周縁部で下方に凹む断面視円弧状に形成されている。
【００４８】
また、図９にも示すように、張り出し部１１０が形成された底板１０１には、切欠部１０７における底面１０１ａの周縁１０１ｃの外周側に、上下に貫通する穴部１０１ｆが形成されており、この穴部１０１ｆを構成する一部の縁部が底面１０１ａの円弧状の周縁１０１ｃとされている。
【００４９】
上記メディアスタッカ２１には、底板１０１の裏面から同一突出寸法の３つの脚部１３１が形成されており、設置面に対してこれらの脚部１３１が当接し、メディアスタッカ２１が設置面に安定した状態に支持される。
【００５０】
そして、上記のメディアスタッカ２１では、パブリッシャ１から取り外して平面上に載置し、このメディアスタッカ２１のメディア収容部１０３から作成済みメディアＭを取り出す場合には、ユーザは、切欠部１０６，１０７の位置で、上方側から作成済みメディアＭを把持しながら上方へ引き上げる。このとき、底板１０１の底面１０１ａの円弧状の周縁１０１ｂ，１０１ｃから作成済みメディアＭの外周縁が突出していることにより、ユーザは、容易に最下部の作成済みメディアＭの外周縁を指に係止させることができ、積層状態の複数の作成済みメディアＭを一括してメディア収容部１０３から取り出すことができる。
【００５１】
上記実施形態に係るメディアスタッカ２１，２２によれば、底板１０１における底面１０１ａの円筒部１０２との隅部に、下方に凹む円弧状溝部１０１ｅが形成されているため、底面１０１ａを布等で拭いてゴミや埃を除去する際に、除去が困難な底面１０１ａの円筒部１０２との隅部でゴミや埃が例え残留したとしても、これらゴミや埃を円弧状溝部１０１ｅ内に保持させておくことができる。
これにより、メディア収容部１０３へメディアＭを収容しても、最下部のメディアＭへのゴミや埃が直接接触して付着するのを防止することができ、メディアＭの高い品質を維持することができる。
【００５２】
また、円弧状溝部１０１ｅが断面視円弧状であるので、メディアスタッカ２１，２２を落下させたりして底板１０１の角部に衝撃が作用しても、底板１０１の底面１０１ａと円筒部１０２との隅部で、その衝撃力を円弧状溝部１０１ｅで分散することができ、破損、損傷等の不具合を極力抑えることができる。
【００５３】
また、底面１０１ａの中央部に形成した環状の台部１０１ｄによって、メディア収容部１０３内に収容される最下部のメディアＭの中央部を支持することができる。これにより、最下部のメディアＭを、中央部以外の記録面を底面１０１ａから浮かした状態に支持することができ、メディアＭへのゴミや埃の付着をさらに抑制することができる。
【００５４】
また、切欠部１０６，１０７における底面１０１ａの周縁１０１ｂ，１０１ｃが、メディア収容部１０３に収容されるメディアＭに対して平面視で内方に配置されるので、メディア収容部１０３に収容したメディアＭを取り出す際に、切欠部１０６，１０７で最下部のメディアＭの外周縁へ容易にかつ確実に指を係止させて取り出すことができる。
【００５５】
また、底板１０１の張り出し部１１０の切欠部１０７における底面１０１ａの周縁１０１ｃの外周側に、上下に貫通する穴部１０１ｆを形成したので、メディア収容部１０３に収容したメディアＭを取り出すべく、最下部のメディアＭの外周縁へ指を係止させる際に、底板１０１へ指を接触させることなく最下部のメディアＭの外周縁を係止することができ、指が底板１０１に接触してメディアスタッカ２１，２２を傾けてしまうことがなく、安定した状態で円滑にメディアＭをメディア収容部１０３から取り出すことができる。
【００５６】
次に、着脱式のメディアスタッカ７２について説明する。
図１０はメディアスタッカの前方側から視た斜視図、図１１はメディアスタッカの裏面側から視た斜視図、図１２はメディアスタッカの後方側から視た斜視図、図１３はメディアスタッカの断面図、図１４は図１３におけるＣ部を拡大したメディアスタッカの一部の拡大断面図である。
【００５７】
メディアスタッカ７２は、合成樹脂製の一体成形品であり、図１０から図１２に示すように、底板２０２と、この底板２０２に立設された円筒部２０３とを有しており、円筒部２０３内が、ＣＤやＤＶＤなどの円板状のメディアＭを積層状態に収容可能なメディア収容部２０４として形成されている。
円筒部２０３は、互いに対向する平面視円弧状の前述した一対の枠板７３，７４から構成されており、これら枠板７３，７４同士の隙間部分が、互いに対向する切欠部２０５である。
【００５８】
底板２０２は、切欠部２０５で、外周側が平行な直線部２０２ｂとされた略円形の異形円板状である。これにより、切欠部２０５における底面２０２ａの周縁である直線部２０２ｂが、メディア収容部１０３に収容されるメディアＭに対して平面視で内方に配置されるようになっている。
また、一方の枠板７４の底板２０２とは反対側の中央部には、外方に延出するように取っ手７５が形成されている。
【００５９】
底板２０２には、図１３にも示すように、底面２０２ａの中央に上方へ若干突出する環状の台部２０２ｃが形成されており、メディア収容部２０４内に収容される最下部のメディアＭの記録領域から外れた中央部が台部２０２ｃで支持される。
また、図１４にも示すように、底面２０２ａには、枠板７３，７４との隅部に沿って円弧状溝部２０２ｄが形成されている。この円弧状溝部２０２ｄは、底面２０２ａの周縁部で下方に凹む断面視円弧状に形成されている。
【００６０】
そして、このメディアスタッカ７２の場合も、底板２０２における底面２０２ａの円筒部２０３との隅部に、下方に凹む円弧状溝部２０２ｄが形成されているので、底面２０２ａを布等で拭いてゴミや埃を除去する際に、除去が困難な底面２０２ａの円筒部２０３との隅部でゴミや埃が例え残留したとしても、これらゴミや埃を円弧状溝部２０２ｄ内に保持させておくことができる。
これにより、メディア収容部２０４へメディアＭを収容させたとしても、最下部のメディアＭへのゴミや埃が直接接触して付着するのを防止することができ、メディアＭの高い品質を維持することができる。
【００６１】
また、円弧状溝部２０２ｄが断面視円弧状であるので、メディアスタッカ７２を落下させたりして底板２０２の角部に衝撃が作用しても、底板２０２の底面２０２ａと円筒部２０３との隅部で、その衝撃力を円弧状溝部２０２ｄで分散することができ、破損、損傷等の不具合を極力抑えることができる。
【００６２】
また、底面２０２ａの中央部に形成した環状の台部２０２ｃによって、メディア収容部２０４内に収容される最下部のメディアＭの中央部を支持することができる。これにより、最下部のメディアＭを、中央部以外の記録面を底面２０２ａから浮かした状態に支持することができ、メディアＭの記録面へのゴミや埃の付着をさらに抑制することができる。
【００６３】
また、切欠部２０５における底面２０２ａの周縁である直線部２０２ｂが、メディア収容部２０４に収容されるメディアＭに対して平面視で内方に配置されるので、メディア収容部２０４に収容したメディアＭを取り出す際に、切欠部２０５で最下部のメディアＭの外周縁へ容易にかつ確実に指を係止させて取り出すことができる。
【００６４】
そして、上記のメディアスタッカ２１，２２を備えたパブリッシャ１によれば、収容したメディアＭに対するゴミや埃などの付着が極力抑えられるため、メディアＭへのデータ書き込みやレーベル面印刷等の情報処理を高品質に行うことができる。また、上記のメディアスタッカ７２に情報処理が済んだメディアＭを収容することで、情報処理が済んだメディアＭへのゴミや埃などの付着を防止して、メディアＭの品質を良好に保つことができる。
【００６５】
なお、本発明で用いられるメディアは、上記実施形態のメディアＭのような円板状のメディアに限定されるものではなく、矩形状等の多角形状や楕円状のメディアにも適用可能であり、また、その記録方式も、光記録方式、光磁気記録方式等、何ら限定されるものではない。
【図面の簡単な説明】
【００６６】
【図１】パブリッシャ（メディア処理装置）の外観斜視図である。
【図２】各部を開状態としたパブリッシャの外観斜視図である。
【図３】パブリッシャのケースを外した状態の前方上側から見た斜視図である。
【図４】パブリッシャに設置されたレーベルプリンタ部分の斜視図である。
【図５】メディアスタッカの斜視図である。
【図６】メディアスタッカの平面図である。
【図７】メディアスタッカの図６におけるＡ−Ａ断面図である。
【図８】メディアスタッカの隅部における断面図である。
【図９】メディアスタッカの図６におけるＢ−Ｂ断面図である。
【図１０】他のメディアスタッカの前方側から視た斜視図である。
【図１１】他のメディアスタッカの裏面側から視た斜視図である。
【図１２】他のメディアスタッカの後方側から視た斜視図である。
【図１３】他のメディアスタッカの断面図である。
【図１４】他のメディアスタッカの一部の拡大断面図である。
【符号の説明】
【００６７】
１…パブリッシャ（メディア処理装置）、２１，２２，７２…メディアスタッカ、２４，２５，７３，７４…枠体、１０１，２０２…底板、１０１ａ，２０２ａ…底面、１０１ｂ，１０１ｃ…周縁、１０１ｄ，２０２ｃ…台部、１０１ｅ，２０２ｄ…円弧状溝部（溝部）、１０１ｆ…穴部、１０２，２０３…円筒部、１０３，２０４…メディア収容部、１０６，１０７，２０５…切欠部、２０２ｂ…直線部（周縁）、Ｍ…メディア。
【図１】
2008310936.tif 000003
【図２】
2008310936.tif 000004
【図３】
2008310936.tif 000005
【図４】
2008310936.tif 000006
【図５】
2008310936.tif 000007
【図６】
2008310936.tif 000008
【図７】
2008310936.tif 000009
【図８】
2008310936.tif 000010
【図９】
2008310936.tif 000011
【図１０】
2008310936.tif 000012
【図１１】
2008310936.tif 000013
【図１２】
2008310936.tif 000014
【図１３】
2008310936.tif 000015
【図１４】
2008310936.tif 000016